(57)【要約】【目的】記録装置の小型軽量化及びスループットの向上を達成し、記録ヘッドを着脱する際のインク垂れ落ちによる記録装置内の各部のインク汚損を無くすとともに、着脱する記録ヘッドの吐出口面の他の部材との擦れによる損傷のおそれを無くす。【構成】記録ヘッド１０を受容できる受け部材４０を用意し、記録ヘッドを交換する際には、隣接する記録ヘッドの上部に受け部材をセットするとともに不要になった記録ヘッドを持ち上げ、持ち上げられた記録ヘッドを受け部材へ移し、この受け部材を記録ヘッドごと記録装置から抜き去り、次いで新しい記録ヘッドを受け部材に入れ、取り外すときと逆の手順で所定の位置に装着する。【選択図】　　　　　　　　図５
2004042417.tif 000002
【特許請求の範囲】
【請求項１】
着脱自在に装着される複数の記録手段から被記録材へインクを吐出して記録を行なうインクジェット記録装置において、
前記記録手段をその吐出口面を覆う状態で受容できる受け部材を設け、
前記記録手段を着脱するとき、該記録手段を前記受け部材に移して該受け部材ごと出し入れすることを特徴とするインクジェット記録装置。
【請求項２】
各記録手段を上方へ引上げ可能とし、着脱する記録手段以外の記録手段の上部に前記受け部材をセットし、引き上げられた記録手段を前記受け部材に移して該受け部材ごと該記録手段を取り出すことを特徴とする請求項１に記載のインクジェット記録装置。
【請求項３】
記録手段を装着するときは、該記録手段を受容した受け部材を該記録手段以外の記録手段の上部に一旦セットした後、該受け部材内の記録手段を装着位置へ移すことを特徴とする請求項１又は２に記載のインクジェット記録装置。
【請求項４】
各記録手段をそれぞれの押え部材に着脱自在に連結し、前記受け部材を前記押え部材の上部にセット可能とすることを特徴とする請求項１〜３のいずれかに記載のインクジェット記録装置。
【請求項５】
前記受け部材を前記押え部材にセットする際に、該受け部材の外面でチューブ等を押し広げ可能にすることを特徴とする請求項４に記載のインクジェット記録装置。
【請求項６】
各記録手段をそれぞれの押え部材に着脱自在に連結し、該押え部材を介して各記録手段を上下動させることを特徴とする請求項２〜５のいずれかに記載のインクジェット記録装置。
【請求項７】
前記記録手段に吐出口列に直交する方向から把持するための把手を設けることを特徴とする請求項１〜６のいずれかに記載のインクジェット記録装置。
【請求項８】
前記把手と対向する面に各記録手段を出し入れするための出入口を設けることを特徴とする請求項７に記載のインクジェット記録装置。
【請求項９】
前記記録手段がインクを吐出するために利用される熱エネルギーを発生する電気熱変換体を備えているインクジェット記録手段であることを特徴とする請求項１〜８のいずれかに記載のインクジェット記録装置。
【請求項１０】
前記記録手段が前記電気熱変換体が発生する熱エネルギーによりインクに生じる膜沸騰を利用して吐出口よりインクを吐出させることを特徴とする請求項９に記載のインクジェット記録装置。
【発明の詳細な説明】
【０００１】
【発明の属する技術分野】
本発明は、着脱自在に装着される複数の記録手段から被記録材へインクを吐出して記録を行なうインクジェット記録装置に関する。
【０００２】
【従来の技術】
プリンタ、複写機、ファクシミリ等の機能を有する記録装置、あるいはコンピューターやワードプロセッサ等を含む複合型電子機器やワークステーションなどの出力機器として用いられる記録装置は、記録情報に基づいて紙、布、プラスチックシート、ＯＨＰ用シート等の被記録材（記録媒体）に画像（文字や記号等を含む）を記録していくように構成されている。前記記録装置は、記録方式により、インクジェット式、ワイヤドット式、サーマル式、レーザービーム式等に分けることができる。
【０００３】
被記録材の搬送方向（紙送り方向、副走査方向）と交叉する方向に主走査しながら記録するシリアルタイプの記録装置においては、被記録材に沿って移動するキャリッジ上に搭載した記録手段（記録ヘッド）によって画像を記録（主走査）し、１行分の記録を終了した後に所定量の紙送り（副走査としてのピッチ搬送）を行い、その後に再び停止した被記録材に対して次の行の画像を記録（主走査）するという動作を繰り返すことにより、被記録材全体の記録が行われる。一方、被記録材の搬送方向の副走査のみで記録するラインタイプの記録装置においては、被記録材を所定の記録位置にセットし、一括して１行分の記録を行った後、所定量の紙送り（ピッチ送り）を行い、さらに次の行の記録を一括して行うという動作を繰り返すことにより、被記録材全体の記録が行われる。
【０００４】
そのうち、インクジェット式の記録装置（インクジェット記録装置）は、記録手段（記録ヘッド）から被記録材へインクを吐出して記録を行うものであり、記録手段のコンパクト化が容易であり、高精細な画像を高速で記録することができ、普通紙に特別の処理を必要とせずに記録することができ、ランニングコストが安く、ノンインパクト方式であるため騒音が少なく、しかも、多種類のインク（例えばカラーインク）を使用してカラー画像を記録するのが容易であるなどの利点を有している。インクジェット記録ヘッドの吐出口からインクを吐出するために利用されるエネルギーを発生するエネルギー発生素子としては、ピエゾ素子等の電気機械変換体を用いるもの、レーザー等の電磁波を照射して発熱させ、この発熱作用によってインク滴を吐出させるもの、あるいは発熱抵抗体を有する電気熱変換体によって液体を加熱するものなどがある。
【０００５】
その中でも、熱エネルギーを利用してインクを滴として吐出するインクジェット式の記録手段（記録ヘッド）は、吐出口を高密度に配列することができるため高解像度の記録をすることが可能である。特に、電気熱変換体素子をエネルギー発生素子として用いる記録ヘッドは、小型化が容易であり、かつ最近の半導体分野における技術の進歩と信頼性の向上性が著しいＩＣ技術やマイクロ加工技術の長所を十分に活用でき、高密度実装化が容易で製造コストも安価なことから、有利である。また、被記録材の材質に対する要求も様々なものがあり、近年では、これらの要求に対する開発が進み、通常の被記録材である紙（薄紙や加工紙を含む）や樹脂薄板（ＯＨＰ等）などの他に、布、皮革、不織布、さらには金属等を被記録材として用いる記録装置も使用されるようになっている。
【０００６】
上記インクジェット記録装置においては、カラー記録用あるいは階調記録用のインクジェット記録装置では、色相あるいは濃度の異なるインクを使用する複数の記録手段（記録ヘッド）が使用されている。また、記録ヘッドが故障したり、記録ヘッドに目詰まりが生じた場合には、該記録ヘッドを記録装置本体から取り外して新しい記録ヘッドと交換したり、一旦取り外して補修した記録ヘッドを再装着することが行なわれている。そこで、先ず、着脱可能な複数の記録手段を使用するインクジェット記録装置における記録手段の取付け構造の従来例について説明する。
【０００７】
図１１は従来のインクジェット記録装置における交換可能な記録ヘッド（記録手段）を示す模式的斜視図である。図１１において、交換可能に構成された記録ヘッド１００には、外部のインク供給系からのインクを取り込むためのインクコネクタ１０１ａ及び１０１ｂ、並びにインク吐出の際に発熱した部位を冷却するための冷却水を外部の冷却水供給系から取り込むための冷却コネクタ１０２ａ、１０２ｂが設けられている。これらのコネクタ１０１ａ、１０１ｂ及び１０２ａ、１０２ｂは、図１２等を参照して後述する押え部材（ヘッド押え板）２００に設けられたインクコネクタ及び冷却水コネクタと圧接等により容易に着脱できる構成となっている。外部のインク供給系により供給されるインクは、一方のインクコネクタから記録手段（記録ヘッド）１００内に導入され、記録情報に基いて吐出口から被記録材（記録紙等）へ吐出され、記録が行なわれる。
【０００８】
また、インク供給系や記録ヘッドのインク流路や液室の内部に発生した気泡を抜く（排出除去）するため、あるいは増粘インク等による吐出口の目詰まりを回復させるためにも、外部のインク供給系から一方のインクコネクタを通して記録ヘッド１００内へインクが供給される。この場合は、インク供給系からのインクが加圧供給され、吐出口からインクと共に気泡を排出すると同時に、残りのインクは他方のインクコネクタより再びインク供給系に戻される。つまり、インクコネクタ１０１ａ、１０１ｂは記録ヘッド１００の吐出性能を維持回復するための加圧循環を行うためにも用いられる。
【０００９】
冷却水についても、外部の冷却水供給系より適温に温調された冷却水が冷却コネクタ１０２ａ、１０２ｂの一方から記録ヘッド１００内へ導入され、該記録ヘッドの発熱部を冷却した冷却水は他方の冷却コネクタより流出し、再び冷却水供給系に戻されるように構成されている。前記記録手段（記録ヘッド）１００には、さらに、電力及び吐出信号を該記録手段に供給するためのカードエッジ１０３が設けられている。このカードエッジ１０３も、前記インクコネクタ及び前記冷却コネクタと同様に、押え部材（ヘッド押え板）２００に設けられたカードエッジ２０３（図１２）に対して着脱可能となっている。
【００１０】
図１１中の一点鎖線は記録ヘッド１００の下面に形成された吐出口列（その長さをＳで示す）を示し、これらの吐出口から矢印ｓｄ方向へインクを吐出する。近年では、１０００個を超す数の吐出口から成る吐出口列を有する記録ヘッドも生産されている。図１１中の寸法ｈは、吐出口列Ｓと直交する方向の記録ヘッド１００の厚みを示す。また、記録ヘッド１００の両端には、後述するヘッドホルダ３００（図１２）に対して位置決めするための位置決め部１０４、１０４が形成されており、これらの位置決め部がヘッドホルダ３００の突き当て面３０２（図１２）に突き当たることで記録ヘッド１００の位置決めが行なわれる。
【００１１】
図１２は記録手段（記録ヘッド）１００と押え部材（ヘッド押え板）２００とヘッドホルダ３００との関係を示す模式的立面図である。図１２において、押え部材２００には、前述した記録ヘッド１００のコネクタ１０１ａ、１０１ｂ、１０２ａ、１０２ｂと対向する位置にインクコネクタ２０１ａ、２０１ｂ及び冷却コネクタ２０２ａ、２０２ｂが設けられている。また、記録ヘッド１００のカードエッジ１０３と対向する位置に、カードエッジコネクタ２０３が設けられている。
【００１２】
さらに、押え部材２００の両側には、記録ヘッド１００をヘッドホルダ３００に安定的に押しつけるための加圧機構２０４が設けられている。この加圧機構２０４は、例えば、加圧軸２０４ａを加圧バネ２０４ｂによって記録ヘッド１００側へ突出させた構成を有し、押え部材（ヘッド押え板）２００を不図示の機構でヘッドホルダ３００に固定することにより記録ヘッド１００を該ヘッドホルダ３００に押し付けて固定するものである。押え部材２００がヘッドホルダ３００に固定された状態では、前述のインクコネクタ１０１ａ、１０１ｂと２０１ａ、２０１ｂ及び冷却コネクタ１０２ａ、１０２ｂと２０２ａ、２０２ｂも同時に接続される。
【００１３】
また、押え部材２００のインクコネクタ２０１ａ、２０１ｂ及び冷却コネクタ２０２ａ、２０２ｂには、外部のインク供給系に接続されたインクチューブ２５１、２５１及び外部の冷却水供給系に接続された冷却水チューブ２５２、２５２が接続されているので、上記接続状態では、記録ヘッド１００に対するインク及び冷却水の供給が可能になる。また、押え部材２００のカードエッジコネクタ２０３には電気ケーブル２５３が接続されており、前述の各チューブの接続と同時に、電気系統も該カードエッジコネクタ２０３及び前記カードエッジ１０３を介して記録ヘッド１００に接続される。
【００１４】
ヘッドホルダ３００には、記録ヘッド１００が挿入される取付開口３０１と該記録ヘッドの位置決め部１０４（図１１）が突き当たる突き当て面３０２とが設けられており、これらによってヘッドホルダ３００に対する記録手段（記録ヘッド）１００の位置決めが行われる。図１２は、記録ヘッド１００をヘッドホルダ３００の位置決め部に合わせてセットした後であって、押え部材（ヘッド押え板）２００で該記録ヘッド１００をヘッドホルダ３００に固定する直前の状態を示す。この図１２の状態から、押え部材２００を記録ヘッド１００側へ降下させて、不図示の機構によって該押え部材２００をヘッドホルダ３００に固定すれば、前記加圧機構２０４によって記録ヘッド１００がヘッドホルダ３００に位置決め固定されると同時に、前述したインク供給用、冷却水供給用及び電気供給用の各コネクタも接続されることになる。図１３は共通のヘッドホルダ３００に対して複数（４個）の記録手段１００Ａ、１００Ｂ、１００Ｃ、１００Ｄをそれぞれの押え部材２００Ａ、２００Ｂ、２００Ｃ、２００Ｄによって着脱可能に位置決め固定するように構成した従来のインクジェット記録装置の要部を示す模式的平面図である。
【００１５】
【発明が解決しようとする課題】
カラー記録や階調記録などを行うためには、例えばＢｋ（ブラック）、Ｃ（シアン）、Ｍ（マゼンタ）、Ｙ（イエロー）などのインクを吐出することが必要となり、複数のインク色に対応して複数個の記録手段（記録ヘッド）１００をヘッドホルダ３００に取り付ける必要がある。図１３は４個の記録ヘッドを共通のヘッドホルダ３００に取り付ける場合を示す。なお、複数個の記録ヘッド１００Ａ、１００Ｂ、１００Ｃ、１００Ｄ及び複数個の押え部材２００Ａ、２００Ｂ、２００Ｃ、２００Ｄについて、任意の一つあるいは全体を指す場合は後付けの符号を省略して単に記録手段（記録ヘッド）１００及び押え部材（ヘッド押え板）２００と称する。
【００１６】
しかしながら、図１１〜図１３で説明した複数個の記録手段を用いる従来のインクジェット記録装置では、次のような解決すべき技術的課題があった。先ず、第１の技術的課題について説明する。記録ヘッド１００は前述したように押さ部材（ヘッド押え板）２００の下側に位置しているので、該記録ヘッドを交換等のため着脱する際には、押え部材２００を図１３中に矢印Ｚで示すように隣接する記録ヘッドとの間（図１３中の２点鎖線で示す位置）にずらす必要がある。図１３中には、記録ヘッド１００Ｂを交換するために、該記録ヘッド１００Ｂを固定していた押え部材２００Ｂを実線で示すように記録ヘッド１００Ｃとの間の位置までずらした状態が示されている。
【００１７】
このような状態にすることで、記録ヘッド１００Ｂを上方へ抜き出すことが可能となり、新しい記録ヘッドと交換できるようになる。しかしながら、このような構成では、前述したように隣接する記録ヘッドの間に押え部材（ヘッド押え板）２００を移動させることができるだけのスペースを必要とすることになる。すなわち、記録ヘッド１００の厚みがｈである場合、対応する押え部材２００の幅もｈ程度になり、さらに若干の隙間も必要であることから、隣接する記録ヘッド１００の間に「ｈ＋α」程度の間隔をあけて配置しなければならず、厚さｈの記録ヘッド１個当たり「２ｈ＋α」の幅が必要になる。
【００１８】
そのため、ヘッドホルダ３００の全長ｌが長くなり、記録装置の大型化を招くことになり、小型軽量化が困難になるという不都合がある。加えて、図１３中の矢印Ｙ方向にスキャンして記録を行なうシリアルスキャン記録方式の場合には、記録ヘッド間の間隔が広い分だけ必要とされるスキャン幅（記録ヘッドの移動距離）が増大するため、トータルの記録速度が低下するという不都合が生じる。
【００１９】
次に第２の技術的課題について説明する。前述したように、記録ヘッド１００の内部に対して、インク供給系よりインクが供給され、冷却水供給系により冷却水が供給されている。記録ヘッド１００を交換する際には、これらの供給系に接続するためのコネクタを開放することになる。ところが、記録ヘッド１００内に導入されたインクは、インクコネクタが開放され大気と連通することにより、吐出口部でのメニスカスが破れて吐出口からインク滴となって落下する場合が生じる。
【００２０】
複数個の記録ヘッド１００を有する記録装置においては、該記録ヘッドを交換する場合、交換する記録ヘッドを取り去るためには、装着されている記録ヘッドの上方を通過させて取り去ることになる。このとき、インク滴が他の記録ヘッドの吐出口部に落下したり、該インク滴が電気ケーブル２５３と擦れて付着したりすると、装着されている記録ヘッドやカードエッジコネクタ２０３にインクが回り、記録ヘッド１００の電極部や他の電気系統が短絡して作動不良等の不都合を生じることがある。また、可動部分にインクが付着すると、該可動部が固着する可能性もある。
【００２１】
次に、第３の技術的課題について説明する。記録ヘッドを交換する際にも、装着されている記録ヘッドのインクチューブ、冷却水チューブ及び電気ケーブル等を避けながら新しい記録ヘッドを取り付けることが必要である。その場合、不注意な取り扱い方をすると、記録ヘッドの吐出口面がこれらの部材に擦れて損傷し、新品の記録ヘッドを取り付けたにもかかわらず、インク吐出不良が生じたり、不吐出になる原因ともなっていた。
【００２２】
最後に第４の技術的課題について説明する。近年、記録ヘッドのマルチノズル化（多ノズル化）により長尺ヘッドが生産されるようになった。その場合、ノズル列（吐出口列）の長さＳと記録ヘッドの厚みｈとの関係がＳ＞２ｈとなるような長尺ヘッドになると、厚みｈに比べてヘッド長が長くなることにより、取り付け作業中に少し傾けるだけでも記録ヘッド１００の両端が大きく上下するため、ヘッドホルダ（記録ヘッド支持部材）に対する位置決めが正確に行われずに傾いたまま記録ヘッドを取り付けてしまったり、気づかないうちにチューブや電気ケーブルと記録ヘッドの吐出口面とを擦らせてしまうなどのトラブルも発生していた。
【００２３】本発明は上述のような技術的課題に鑑みてなされたものであり、本発明の目的は、記録手段を小型化することで記録装置の小型軽量化及びスループットの向上を達成することができ、記録手段を着脱するに際し、着脱する記録手段からインクが垂れ落ちたとしても、装着される記録手段や電気ケーブルや可動部材等にインクが付着することを防止でき、また、着脱する記録手段の吐出口面がチューブや電気ケーブルと擦れて損傷するおそれがないインクジェット記録装置を提供することである。
【００２４】
【課題を解決するための手段】
本発明（請求項１）は、上記目的を達成するため、着脱自在に装着される複数の記録手段から被記録材へインクを吐出して記録を行なうインクジェット記録装置において、前記記録手段をその吐出口面を覆う状態で受容できる受け部材を設け、前記記録手段を着脱するとき、該記録手段を前記受け部材に移して該受け部材ごと出し入れすることを特徴とする。
【００２５】
請求項２〜６の発明は、上記請求項１の構成に加えて、各記録手段を上方へ引上げ可能とし、着脱する記録手段以外の記録手段の上部に前記受け部材をセットし、引き上げられた記録手段を前記受け部材に移して該受け部材ごと該記録手段を取り出す構成、記録手段を装着するときは、該記録手段を受容した受け部材を該記録手段以外の記録手段の上部に一旦セットした後、該受け部材内の記録手段を装着位置へ移す構成、各記録手段をそれぞれの押え部材に着脱自在に連結し、前記受け部材を前記押え部材の上部にセット可能とする構成、前記受け部材を前記押え部材にセットする際に、該受け部材の外面でチューブ等を押し広げ可能にする構成、あるいは、各記録手段をそれぞれの押え部材に着脱自在に連結し、該押え部材を介して各記録手段を上下動させる構成とすることにより、一層効率よく上記目的を達成するものである。
【００２６】
請求項７及び８の発明は、上記請求項１の構成に加えて、前記記録手段に吐出口列に直交する方向から把持するための把手を設ける構成、あるいは、前記把手と対向する面に各記録手段を出し入れするための出入口を設ける構成とすることにより、上記目的を達成できることに加えて、記録手段を着脱する際に該記録手段の長手方向の全体を見ながら作業することを可能にし、それによって、記録手段の傾きの有無や所定位置への記録手段の位置決め状態を確認しながら記録手段の着脱を容易にかつ正確に行なうことができるインクジェット記録装置を提供するものである。
【００２７】
【発明の実施の形態】
以下、図面を参照して本発明の実施の形態を説明する。図７は本発明を適用したインクジェット記録装置の一実施例の要部構成を示す一部破断斜視図である。図７において、キャリッジ４００に搭載されたヘッドホルダ３０には複数個（例えば４個）の記録ヘッド（記録手段）１０が位置決めされて取り付けられており、このヘッドホルダ３０はキャリッジ４００とともに不図示の駆動装置によって図７中の両矢印Ｘ方向に移動（主走査）される。被記録材６０としては例えば布帛が使用され、この被記録材６０は、表面に粘着剤が付与された搬送ベルト５０に貼り付けられて図１３中の矢印Ｗ方向に１記録幅づつ間欠送りされ、前記キャリッジ４００の主走査と同期して記録が行なわれる。
【００２８】
前記キャリッジ４００には、不図示の支点を中心に開閉（回動）可能なフタ部材４１０が取り付けられており、記録ヘッド１０を交換する際には、該フタ部材４１０を矢印Ｖ方向に回動させて二点鎖線で示す位置まで開き、それによって、記録ヘッド交換用の開口である出入口４１０ａを通してキャリッジ４００の内部の記録手段１０のところまで手を入れることができるようになっている。前記出入口４１０ａを開いて記録ヘッド１０を出し入れする状態は図８に示されている。前記キャリッジ４００は、スライドベアリング４３０を介して、互いに平行配置された一対の主走査レール（ガイドレール）４２０、４２０に沿って往復移動可能に案内支持されている。なお、図示の例では、主走査レール４２０、４２０は、キャリッジ４００の重量によっても撓まないように、Ｉ型鋼４４０によって支持されている。また、布帛等から成る前記被記録材６０は、押圧ローラ５１によって搬送ベルト５０に押付けれることで該搬送ベルト５０に貼り付けられている。
【００２９】
図１は本発明を適用したインクジェット記録装置における複数の記録手段の装着部に受け部材を取り付けるとともに１つの記録手段を持ち上げたときの状態を主走査方向から見て示す立面図であり、図２は図１中の記録手段を１個取り出して示す平面図であり、図３は図２の記録手段の斜視図であり、図４は図１中の押え部材と記録手段と受け部材を示す模式的斜視図であり、図５は図１中の記録手段の装着部に新しい記録手段を装着しているときの状態を主走査方向と直角を成す方向から見て示す部分立面図であり、図６は本発明を適用したインクジェット記録装置における複数の記録手段の装着部の１つの記録手段が持ち上げられた時の状態を主走査方向から見て示す立面図である。
【００３０】
図１〜図７において、１０は記録手段（記録ヘッド）を、２０は押え部材（ヘッド押え板）を、３０はヘッドホルダを、４０は受け部材（ヘッド受け）を、それぞれ示す。そこで、共通のヘッドホルダ３０に対して主走査方向に複数個の記録ヘッド１０が位置決め装着されており、これらの記録ヘッド１０のそれぞれの上部に押え部材（ヘッド押え板）２０が接続されている。つまり、本実施例では、図７中の左から右へ４個の記録ヘッド（記録手段）１０Ａ、１０Ｂ、１０Ｃ、１０Ｄが配設されており、これらの記録ヘッドのそれぞれの上部には押え部材（ヘッド押え板）２０Ａ、２０Ｂ、２０Ｃ、２０Ｄが接続されている。そして、これら４組の記録ヘッド１０及び押え部材２０はヘッドホルダ３０に対して実質的に同じ構造を順次繰り返して搭載されている。なお、以下においても、前記記録手段及び前記押え部材の全体もしくは任意の一つを指す場合は、前述と同様、単に記録手段（記録ヘッド）１０及び押え部材（ヘッド押え板）２０と称することにする。
【００３１】
前記記録手段（記録ヘッド）１０は、熱エネルギーを利用してインクを吐出するインクジェット記録手段であって、熱エネルギーを発生するための電気熱変換体を備えたものである。また、前記記録ヘッド１０は、前記電気熱変換体によって印加される熱エネルギーにより生じる膜沸騰による気泡の成長、収縮によって生じる圧力変化を利用して、吐出口よりインクを吐出させ、記録を行なうものである。
【００３２】
図１０は、前記記録手段（記録ヘッド）１０のインク吐出部の構造を模式的に示す部分斜視図である。図１０において、被記録材と所定の隙間（例えば、約０．３〜２．０ミリ程度）をおいて対面する吐出口面８１には、所定のピッチで複数の吐出口８２が形成され、共通液室８３と各吐出口８２とを連通する各液路８４の壁面に沿ってインク吐出用のエネルギーを発生するための電気熱変換体（発熱抵抗体など）８５が配設されている。本例においては、記録ヘッド１０は、前記吐出口８２がキャリッジ４００の走査方向と交叉する方向に並ぶような位置関係で、該キャリッジ４００に搭載されている。こうして、画像信号または吐出信号に基づいて対応する電気熱変換体８５を駆動（通電）して、液路８４内のインクを膜沸騰させ、その時に発生する圧力によって吐出口８２からインクを吐出させる記録ヘッド１０が構成されている。
【００３３】
図８は、図１〜図７に示す本実施例に係るインクジェット記録装置において、出入口に最も近い位置の記録手段（記録ヘッド）１０Ａを装着（交換等）する時の状態を示す一部破断斜視図である。ここで、本実施例に係るインクジェット記録装置、すなわち図１〜図８に示すインクジェット記録装置は、着脱自在に装着される複数個の記録手段１０から被記録材６０へインクを吐出して記録を行なうインクジェット記録装置において、前記記録手段１０をその吐出口面を覆う状態で受容できる受け部材４０を設け、前記記録手段１０を着脱するとき、該記録手段を前記受け部材４０に移して該受け部材ごと出し入れするように構成されている。
【００３４】
より、具体的には、各記録手段１０を上方へ引上げ可能とし、着脱する記録手段１０Ｂ以外の記録手段１０Ａの上部に前記受け部材４０をセットし、引き上げられた記録手段１０Ｂを前記受け部材４０に移して該受け部材ごと該記録手段１０Ｂを取り出すように構成されている。また、記録手段１０Ｂを装着するときは、該記録手段１０Ｂを受容した前記受け部材４０を該記録手段１０Ｂ以外の記録手段１０Ａの上部に一旦セットした後、該受け部材内の記録手段１０Ｂを装着位置へ移すように構成されている。
【００３５】
さらに具体的には、図５に示すように、各記録手段１０Ａ、１０Ｂ、１０Ｃ、１０Ｄをそれぞれの押え部材２０Ａ、２０Ｂ、２０Ｃ、２０Ｄに着脱自在に連結し、前記受け部材４０を前記押え部材の上部にセット可能とするように構成される。また、図１に示すように、前記受け部材４０を前記押え部材２０にセットする際に、該受け部材の外面でインクチューブ２５１、冷却水２５２、電気ケーブル２５３等を押し広げ可能な構成にされる。さらに、各記録手段１０をそれぞれの押え部材２０に着脱自在に連結し、該押え部材を介して各記録手段を上下動させるように構成される。
【００３６】
また、前記記録手段１０に吐出口列に直交する方向から把持するための把手１１を設けるとともに、前記把手と対向する面に各記録手段１０を出し入れするための出入口４１０ａ（図７）を設ける構成になっている。以下、各図面に基いて、本実施例をさらに詳細に説明する。
【００３７】
図１〜図８において、本実施例の記録ヘッド１０には、吐出口列Ｓと直交する方向から該記録ヘッド１０を把持できるように把手１１が設けられている。この把手１１は、記録ヘッド１０をヘッドホルダ３０から着脱する際に図２に示すような持ち方で把持されるものである。このように把手１１を設けることにより、記録ヘッド１０の厚さｈに対して吐出口列Ｓの長さがＳ＞２ｈとなるような長尺の記録ヘッドであっても、その取り付け作業時に記録ヘッド全体を見渡すことができ、記録ヘッドを傾いた姿勢で取り付けるなどの作業ミスを殆ど無くすことができる。
【００３８】
また、本実施例においては、記録ヘッド１０の両端部に、後述する押え部材（ヘッド押え板）２０の上下動に追従して該記録ヘッド１０を上下動させるためのひっかけ部１２、１２が設けられている。本実施例の記録手段（記録ヘッド）１０は以上説明した点で従来の記録ヘッド（図１１）と相違しており、その他の部分では実質上同じ構成を有しており、従って、それぞれ対応する部分を同じ符号で示す。
【００３９】
すなわち、交換可能に構成された記録ヘッド１０には、外部のインク供給系からのインクを取り込むためのインクコネクタ１０１ａ及び１０１ｂ、並びにインク吐出の際に発熱した部位を冷却するための冷却水を外部の冷却水供給系から取り込むための冷却コネクタ１０２ａ、１０２ｂが設けられており、これらのコネクタ１０１ａ、１０１ｂ及び１０２ａ、１０２ｂは、後述する押え部材（ヘッド押え板）２０に設けられたインクコネクタ及び冷却水コネクタと圧接等により容易に着脱できる構成となっている。外部のインク供給系により供給されるインクは、一方のインクコネクタから記録手段（記録ヘッド）１０内に導入され、記録情報に基いて吐出口から被記録材（記録紙等）へ吐出され、記録が行なわれる。
【００４０】
また、インク供給系や記録ヘッドのインク流路や液室の内部に発生した気泡を抜く（排出除去）するため、あるいは増粘インク等による吐出口の目詰まりを回復させるためにも、外部のインク供給系から一方のインクコネクタを通して記録ヘッド１０内へインクが供給される。この場合は、インク供給系からのインクが加圧供給され、吐出口からインクと共に気泡を排出すると同時に、残りのインクは他方のインクコネクタより再びインク供給系に戻される。つまり、インクコネクタ１０１ａ、１０１ｂは記録ヘッド１０の吐出性能を維持回復するための加圧循環を行うためにも用いられる。
【００４１】
冷却水についても、外部の冷却水供給系より適温に温調された冷却水が冷却コネクタ１０２ａ、１０２ｂの一方から記録ヘッド１０内へ導入され、該記録ヘッドの発熱部を冷却した冷却水は他方の冷却コネクタより流出し、再び冷却水供給系に戻されるように構成されている。前記記録手段（記録ヘッド）１０には、さらに、電力及び吐出信号を該記録手段に供給するためのカードエッジ１０３が設けられている。このカードエッジ１０３も、前記インクコネクタ及び前記冷却コネクタと同様に、押え部材（ヘッド押え板）２０に設けられたカードエッジ２０３（図４）に対して着脱可能となっている。
【００４２】
図３中の一点鎖線は記録ヘッド１０の下面に形成された吐出口列（その長さをＳで示す）を示し、これらの吐出口から矢印ｓｄ方向へインクを吐出する。図３中の寸法ｈは、吐出口列Ｓと直交する方向の記録ヘッド１０の厚みを示す。また、記録ヘッド１０の両端には、前記ヘッドホルダ３０に対して位置決めするための位置決め部１０４、１０４が形成されている。そして、記録ヘッド１０をヘッドホルダ３０の取付用開口３０１に挿入するとともに前記位置決め部１０４、１０４がヘッドホルダ３０の突き当て面３０２（図５）に突き当たることで記録ヘッド１０の位置決めが行なわれる。
【００４３】
次に、主として図４を参照しながら、本実施例における記録手段（記録ヘッド）１０、押え部材（ヘッド押え板）２０及び受け部材（ヘッド受け部材）４０の構造及び関係を説明する。押え部材２０の両端部には、記録ヘッド１０の両端部に設けられた前記ひっかけ部１２、１２を介して該記録ヘッド１０を一時的に該押え部材２０の上下動に追従させて上下動させるためのひっかけピン２１、２１が設けられている。また、押え部材２０の上部には把手部２２が設けられている。この把手部２２は、押え部材（ヘッド押え板）２０を上下動させるために使用されるとともに、受け部材（ヘッド受け部材）４０をその上端部２２ａに載せるために使用される。
【００４４】
前記受け部材４０は、全体として容器構造をしており、任意の１個の記録ヘッド（着脱する記録ヘッド）１０をその吐出口面８１を覆う状態で受容するためのものである。そして、本発明によるインクジェット記録装置は、記録ヘッド１０を記録装置に対して着脱するとき、該記録ヘッドを前記受け部材４０に移して該受け部材ごと出し入れするように構成されている。この受け部材４０の手前側の面（押え部材２０にセットしたときの出入口４１０側の面）には、該受け部材４０を持ち運ぶ際に手で把持するための把手部４５が設けられている。また、前記記録手段１０に吐出口列に直交する方向から把持するための把手１１を設けるとともに、前記把手と対向する面に各記録手段１０を出し入れするための出入口４１０ａ（図７）を設ける構成になっている。以下、各図面に基いて、本実施例をさらに詳細に説明する。
【００４５】
また、押え部材２０の両端部（図示の両側面）には上下方向のガイド溝２３、２３が形成されている。このガイド溝２３は、前記ヘッドホルダ３０に設けられた押さ部材ガイド（図５）に係合することで、押え部材２０をガナなく上下動するように案内するためのものである。一方、前記受け部材４０には、前記押え部材２０に載せる際に前記把手部２２の上端部２２ａに嵌合する溝４０ａが形成されている。
【００４６】
図４中の矢印Ｕ（２箇所）は、記録ヘッド１０を受け部材（ヘッド受け）４０内に入れて、該記録ヘッドの吐出口面８１を該受け部材の内面で覆うようにして受容するときの操作状態を示す。また、図４中の矢印Ｒは、記録ヘッド１０を前記ひっかけ部１２及び前記前記ひっかけピン２１によって押え部材２０に一時的に連結支持するためのセッティングの位置関係を示す。
【００４７】
図５には、ヘッドホルダ３０に取り付けられている記録ヘッド１０Ａと該ヘッドホルダ３０の取付用開口（図示で左側から２番目の取付用開口）３０１に記録ヘッド１０Ｂを装着する途中の状態が示されている。以下に、主として図５を参照しながら、４個の記録ヘッド１０Ａ、１０Ｂ、１０Ｃ、１０Ｄのうち、記録ヘッド１０Ｂを交換等の目的で着脱するに際し、該記録ヘッド１０Ｂを装着する動作を説明する。記録ヘッド１０Ｂは、キャリッジ４００の外部で、図４中の矢印Ｕで示すように受け部材（ヘッド受け）４０の中に入れられ、キャリッジ４００のフタ部材４１０（図７、図８）を開けて形成された出入口（ヘッド交換口）４１０ａを通して矢印Ｎ（図５）で示すように、出入口４１０ａから見て手前側の押え部材（ヘッド押え板）２０Ａの把手２２の上端部２２ａにセット（係合支持）される。
【００４８】
次いで、前記記録ヘッド１０Ｂに対応する押え部材２０Ｂをヘッドホルダ３０に形成された押え部材ガイド３２に沿って矢印Ｐのように上方へ引き上げる。そして、この押え部材２０Ｂを不図示の固定機構（ロック機構）により図示の上昇位置に一時的に固定し保持する。なお、図５に示す状態では、不要となった交換前の記録ヘッド１０Ｂはすでに取り外されている。従って、次いで、装着されている記録ヘッド１０Ａの上部にセットされた前記記録ヘッド１０Ｂを受け部材４０から上昇させた前記押え部材２０Ｂへ移し替える。この移替えは、記録ヘッド１０Ｂの把手１１を持って該記録ヘッドを矢印Ｑ方向へ移動させることによりそのひっかけ部１２、１２を上昇した押え部材２０Ｂのひっかけピン２１、２１にひっかけることによって行なう。
【００４９】
次いで、押え部材２０Ｂを記録ヘッド１０Ｂごと矢印Ｐと反対方向へ降下させ、該記録ヘッド１０Ｂをヘッドホルダ３０の取付用開口３０１に嵌合させるとともに位置決め部１０４、１０４を該ヘッドホルダ３０の突き当て面３０２に当接させることにより、該記録ヘッド１０Ｂを従来例で説明したと同様にして所定の位置に固定する。図５を参照して以上説明した作業により、記録ヘッド１０Ｂの交換時等における装着作業を完了する。
【００５０】
次に、図５を参照して、逆に記録ヘッド１０Ｂを取り外す際の作業について説明する。不要になったなどの理由で記録ヘッド１０Ｂを取り外す場合は、空（カラ）の状態の受け部材（ヘッド受け）４０を、予め、出入口（ヘッド交換口）４１０ａから見て手前側の押え部材（ヘッド押え板）２０Ａの把手２２の上端部２２ａにセットしておく。続いて、取り外すべき記録ヘッド１０Ｂに連結された押え部材２０Ｂを押え部材ガイド３２に沿って矢印Ｐ方向へ上昇させ、該押え部材２０Ｂが上昇位置に停止したところで、記録ヘッド１０Ｂを該押え部材２０Ｂ側から前記受け部材（ヘッド受け）４０側へ（矢印Ｑと反対方向へ）移し渡す。そして、この受け部材４０ごと、記録ヘッド１０Ｂを出入口４１０ａを通してキャリッジ４００の外部へ運び出す。
【００５１】
以上説明した記録ヘッド１０の着脱操作によれば、該記録ヘッドをキャリッジ４００に対して出し入れする際には、どちらにしても記録ヘッド１０が必ず受け部材（ヘッド受け）４０の中に受容されているので、新品の記録ヘッドの吐出口面８１がキャリッジ４００の内部の部材に擦れて損傷するおそれはなく、また、取り外す記録ヘッドの吐出口等からインクが垂れ落ちてキャリッジ４００や装着されている他の記録ヘッド１０や可動部材（案内部材）などに付着するおそれもない。
【００５２】
不要になった記録ヘッド１０Ｂを取り外すために対応する押え部材２０Ｂを上昇させた状態を前記出入口（ヘッド交換口）４１０ａから見ると、図６のような状態になる。この状態から明らかなように、受け部材４０が手前側の押え部材２０Ａの上部にセットされていないと、記録ヘッド１０Ｂを交換する際に、その手前側の押え部材２０Ａに接続されているインクチューブ２５１や冷却チューブ２５２などが邪魔になり、交換作業が困難になる。
【００５３】
これに対し、図１に示すように、前述した受け部材４０を使用して記録ヘッド１０Ｂを交換する場合は、該受け部材４０の左右に斜面４１、４１（図１）を形成しておけば、これらの斜面によってインクチューブ２５１や冷却水チューブ２５２などを押し広げることが可能となり、それによって、押え部材２０と受け部材４０との間における記録ヘッド１０の受け渡しをスムーズに行なうことが可能になる。ただし、前記受け部材（ヘッド受け）４０は、図６の状態からでも、手前側の押え部材（ヘッド押え板）２０の上部に図５に示すような状態にセットできる（取り付け可能である）ことはいうまでもない。
【００５４】
また、図１、図５及び図７から明らかなように、各記録ヘッド１０には吐出口８２の列Ｓと直交する方向から該記録ヘッドを持てるように把手１１が設けられており、かつ記録ヘッド１０をキャリッジ４００の外部へ出し入れするための出入口（ヘッド交換口）４１０ａを前記把手１１と同一方向とした（つまり、前記把手１１と対向する面に記録ヘッド１０を出し入れするための出入口を設けた）ので、記録ヘッド１０を着脱する時の全容を作業者が容易に見渡して確認することができる。そのため、記録ヘッド１０を傾けて取り付けたり、思わぬところにひっかけていることを見落としてしまうなどのトラブル発生を防止する（無くす）ことができる。
【００５５】
図８には、前記出入口４１０ａに最も近い位置に装着される記録ヘッド１０Ａを交換する（装着する）時の状態が示されている。この場合は、図８から明らかなように、交換しようとする記録ヘッド１０Ａと出入口４１０ａとの間に他の記録ヘッドや可動部材等が存在しないので、前述の受け部材（ヘッド受け）４０を使用する必要はない。この場合は、単に、対応する押え部材２０Ａ（不図示）を矢印Ｌ方向に上昇させ、不要の記録ヘッド１０Ａを取り外し、図８に示すように新しい記録ヘッド１０Ａを矢印Ｍ方向から出入口４１０ａを通してヘッドホルダ３０上に取り付ければよい。
【００５６】
図９は本発明を適用したインクジェット記録装置における受け部材（ヘッド受け）４０の他の実施例を示す模式的斜視図である。本実施例に係る受け部材４０においては、把手部４５の面にインクチューブ２５１や冷却水チューブ２５２などを押し広げる面４２が形成されており、これらのチューブを左右方向ではなく手前側へ押し広げることにより記録ヘッド１０との隙間を広げるように構成されている。また、図９の受け部材４０では、前記押し広げる面４２の左右部分に破線で示すようなリブ４３、４３を追加することにより、押し広げたチューブ類がずれて戻ってくることがないようにしてもよい。なお、以上の実施例では、本発明を冷却水及び冷却水チューブ２５２を必要とする記録ヘッド１０を用いるインクジェット記録装置を例に挙げて説明したが、これらの有無に無関係に本発明を適用できることは明らかである。
【００５７】
以上説明した実施例によれば、次のような作用効果が得られる。すなわち、第１には、押え部材（ヘッド押え板）２０を、これに記録ヘッド１０を連結したままの状態で直上に、記録ヘッド着脱に支障のない間隔（おおむね、記録ヘッド１０の全高程度）が生じる高さ位置まで引き上げる構成にした上で、交換しようとする記録ヘッド１０（図５中の記録ヘッド１０Ｂ）と隣接する一方の記録ヘッド１０Ａの押え部材２０Ａの上部に受け部材４０をセットし、この状態で、引き上げた押え部材２０Ｂに追従して引き上げられた記録ヘッド１０Ｂを前記受け部材４０の中に移して入れ、この記録ヘッド１０Ｂごと前記受け部材４０を抜き去るように構成したので、受け部材４０に受容された状態で記録ヘッド１０Ｂを抜き去ることから、この記録ヘッド１０Ｂからインクが垂れ落ちたとしても、他の記録ヘッドや電気ケーブルや可動部分にインクが付着することはなく、従って、記録ヘッドの着脱時におけるインク付着に起因するトラブルを無くすことができる。
【００５８】
第２には、記録ヘッド１０を取り付ける際にも、キャリッジ４００の外側で受け部材４０に新しい記録ヘッドを予め入れておき、この受け部材４０を隣接する一方の記録ヘッドの押え部材２０の上部にセットし、そこから新しい記録ヘッドを間近の（隣接する）押え部材２０へ移し替える構成としたので、予め記録ヘッド１０を入れた受け部材４０を、該記録ヘッドに対応する押え部材２０と隣接する位置までセットできることから、記録ヘッド１０を装着する途中でその吐出口面８１がインクチューブや電気ケーブルなどの他の部分を擦って損傷するといった不都合を無くすことができる。
【００５９】
第３には、記録ヘッド１０に吐出口列Ｓと直交する方向から持つことができる把手１１を設けると同時に、交換しようとする記録ヘッド１０Ｂと隣接する記録ヘッド１０Ａの把手１１がある側から記録ヘッド１０Ｂを交換できるように構成したので、記録ヘッド１０が長尺である場合でも、着脱の際に該記録ヘッドの長手方向の全体を見ながら作業できることから、記録ヘッド１０Ｂの傾きの有無や所定位置への取付等の作業ミスがないかどうかなどを確認しながら記録ヘッドの交換作業を行なうことができる。
【００６０】
第４には、受け部材４０の外面を、隣接する記録ヘッド１０の押え部材２０のインクチューブ２５１や冷却水チューブ２５２等を押し広げるような形状にするので、当該受け部材４０を隣接する押え部材に取り付ける際に、当該受け部材の外面でチューブ類等が押し広げられることになり、出入口４１０ａ側のチューブ類が邪魔にならなくなり、記録ヘッド１０を受け部材４０から押え部材２０へ移し替える際の障害物がなくなり、記録ヘッド１０の着脱作業を容易にかつ正確に行なうことが可能になる。
【００６１】
なお、以上の実施例では記録手段（記録ヘッド）１０を被記録材６０に対して相対移動させながら記録するシリアル記録方式を例に挙げて説明したが、本発明は、被記録材の全幅または一部をカバーする長さのラインタイプの記録ヘッドを用いて副走査のみで記録するライン記録方式など、記録方式の種類に関わらず種々のインクジェット記録装置に適用可能なものであり、同様の効果を達成し得るものである。
【００６２】
また、本発明は、異なる色のインクで記録する複数の記録ヘッドを用いるカラー記録装置の他、同一色彩で異なる濃度で記録する複数の記録ヘッドを用いる階調記録装置、あるいは前記カラー記録装置と前記階調記録装置を組み合わせた記録装置など、複数の記録ヘッドを用いて記録するインクジェット記録装置であれば、種々の記録装置に同様に適用することができ、同様の効果を達成し得るものである。さらに、本発明は、記録ヘッドとインクタンクを一体化した交換可能なインクジェットカートリッジを用いる構成、記録ヘッドとインクタンクを別体にし、その間をインク供給用のチューブ等で接続する構成など、記録ヘッドとインクタンクの配置構成がどのような場合にも同様に適用することができ、同様の効果が得られるものである。
【００６３】
なお、本発明は、インクジェット記録装置が、例えば、ピエゾ素子等の電気機械変換体等を用いる記録手段を使用するものである場合にも適用することができ、同様の効果が得られる。
【００６４】
【発明の効果】
以上の説明から明らかなごとく、本発明（請求項１）によれば、着脱自在に装着される複数の記録手段から被記録材へインクを吐出して記録を行なうインクジェット記録装置において、前記記録手段をその吐出口面を覆う状態で受容できる受け部材を設け、前記記録手段を着脱するとき、該記録手段を前記受け部材に移して該受け部材ごと出し入れする構成としたので、
記録手段を小型化することで記録装置の小型軽量化及びスループットの向上を達成することができ、記録手段を着脱するに際し、着脱する記録手段からインクが垂れ落ちたとしても、装着される記録手段や電気ケーブルや可動部材等にインクが付着することを防止でき、また、着脱する記録手段の吐出口面がチューブや電気ケーブルと擦れて損傷するおそれがないインクジェット記録装置が提供される。
【００６５】
請求項２〜６の発明によれば、上記請求項１の構成に加えて、各記録手段を上方へ引上げ可能とし、着脱する記録手段以外の記録手段の上部に前記受け部材をセットし、引き上げられた記録手段を前記受け部材に移して該受け部材ごと該記録手段を取り出す構成、記録手段を装着するときは、該記録手段を受容した受け部材を該記録手段以外の記録手段の上部に一旦セットした後、該受け部材内の記録手段を装着位置へ移す構成、各記録手段をそれぞれの押え部材に着脱自在に連結し、前記受け部材を前記押え部材の上部にセット可能とする構成、前記受け部材を前記押え部材にセットする際に、該受け部材の外面でチューブ等を押し広げ可能にする構成、あるいは、各記録手段をそれぞれの押え部材に着脱自在に連結し、該押え部材を介して各記録手段を上下動させる構成としたので、
一層効率よく、記録手段を小型化することで記録装置の小型軽量化及びスループットの向上を達成することができ、記録手段を着脱するに際し、着脱する記録手段からインクが垂れ落ちたとしても、装着される記録手段や電気ケーブルや可動部材等にインクが付着することを防止でき、また、着脱する記録手段の吐出口面がチューブや電気ケーブルと擦れて損傷するおそれがないインクジェット記録装置が提供される。
【００６６】
請求項７及び８の発明によれば、上記請求項１の構成に加えて、前記記録手段に吐出口列に直交する方向から把持するための把手を設ける構成、あるいは、前記把手と対向する面に各記録手段を出し入れするための出入口を設ける構成としたので、上記効果に加えて、さらに、記録手段を着脱する際に該記録手段の長手方向の全体を見ながら作業することを可能にし、それによって、記録手段の傾きの有無や所定位置への記録手段の位置決め状態を確認しながら記録手段の着脱を容易にかつ正確に行なうことができるインクジェット記録装置が提供される。
【図面の簡単な説明】
【図１】本発明を適用したインクジェット記録装置の一実施例における複数の記録手段の装着部に受け部材をセットするとともに１つの記録手段を持ち上げたときの状態を主走査方向から見て示す立面図である。
【図２】図１中の記録手段を１個取り出して手で持った状態を示す平面図である。
【図３】図２の記録手段の斜視図である。
【図４】図１中の押え部材と記録手段と受け部材を示す模式的斜視図である。
【図５】図１中の記録手段の装着部に新しい記録手段を装着しているときの状態を主走査方向と直角を成す方向から見て示す部分立面図である。
【図６】本発明を適用したインクジェット記録装置における複数の記録手段の装着部の１つの記録手段が持ち上げられた時の状態を主走査方向から見て示す立面図である。
【図７】本発明を適用したインクジェット記録装置の一実施例の要部構成を示す一部破断斜視図である。
【図８】図１〜図７に示すインクジェット記録装置において出入口に最も近い位置の記録手段を装着する時の状態を示す一部破断斜視図である。
【図９】本発明を適用したインクジェット記録装置における受け部材の他の実施例を示す模式的斜視図である。
【図１０】図１中の記録手段のインク吐出部の構造を模式的に示す部分斜視図である。
【図１１】従来のインクジェット記録装置における交換可能な記録手段を示す模式的斜視図である。
【図１２】従来のインクジェット記録装置における記録手段と押え部材とヘッドホルダとの関係を示す模式的立面図である。
【図１３】従来のインクジェット記録装置における複数の記録手段の装着部の構成及び着脱時状態を説明するための模式的平面図である。
【符号の説明】
１０　　　記録手段（記録ヘッド）
１１　　　把手（記録手段）
１２　　　ひっかけ部
２０　　　押え部材（ヘッド押え）
２１　　　ひっかけピン
２２　　　把手部（押え部材）
２３　　　ガイド溝（押え部材）
３０　　　ヘッドホルダ
３２　　　押え部材ガイド
４０　　　受け部材（ヘッド受け）
４０ａ　　溝（受け部材）
４１　　　斜面（受け部材）
４２　　　押し広げる面
４３　　　リブ
４５　　　把手部（受け部材）
５０　　　搬送ベルト
５１　　　押圧ローラ
６０　　　被記録材
８１　　　吐出口面
８２　　　吐出口
８３　　　共通液室
８５　　　電気熱変換体
１０１　　　インクコネクタ
１０２　　　冷却コネクタ
１０３　　　カードエッジ
１０４　　　位置決め部
２０１　　　インクコネクタ
２０２　　　冷却コネクタ
２０３　　　カードエッジコネクタ
２５１　　　インクチューブ
２５２　　　冷却水チューブ
２５３　　　電気ケーブル
３０１　　　取付用開口
３０２　　　突き当て面
４００　　　キャリッジ
４１０　　　フタ部材
４１０ａ　　出入口（ヘッド交換口）
４２０　　　走査レール
４３０　　　スライドベアリング
Ｓ　　　　吐出口列
ｈ　　　　記録手段の厚み
【図１】
2004042417.tif 000003
【図２】
2004042417.tif 000004
【図３】
2004042417.tif 000005
【図４】
2004042417.tif 000006
【図５】
2004042417.tif 000007
【図６】
2004042417.tif 000008
【図７】
2004042417.tif 000009
【図８】
2004042417.tif 000010
【図９】
2004042417.tif 000011
【図１０】
2004042417.tif 000012
【図１１】
2004042417.tif 000013
【図１２】
2004042417.tif 000014
【図１３】
2004042417.tif 000015